(57)【要約】【課題】本考案は瀬戸物，石材，金属等の硬質材で形成された食器類，日用雑貨品や置物，タイル張りの目地部等の局部的な汚れを簡単に且つ余り力を入れず短時間で落すことが可能となると共に消耗するブラシの長さを常に一定に確保し、溝や角などの局部的な汚れを長期間に渡って落すことが可能となる筆形ブラシを提供することを目的とする。【解決手段】棒状の握り部１の一端に球状或いは逆円錐台状で且つステンレス製又は真鍮製のワイヤーブラシ２を取付け、他端に前記とワイヤーブラシ２と同じ或いは異なる形状，材質，大きさのワイヤーブラシ２を取付ける筆状ブラシと成す。又、前記握り部１の他端に硬質なプラスチック製のブラシ３を取付けると共に該ブラシ毛の先端部を二叉に開くものとしても良い。【選択図】図１
0003125887.tif 000002
【実用新案登録請求の範囲】
【請求項１】
棒状の握り部（１）の少なくとも一端に、ワイヤーブラシ(２)を取付けたことを特徴とする筆形ブラシ。
【請求項２】
前記握り部（１）の両端にワイヤーブラシ(２)が取付けられ、且つ一端にステンレス製のワイヤーブラシ(２)が取付けられ、他端に真鍮製のワイヤーブラシ(２)が取付けられた請求項１記載の筆形ブラシ。
【請求項３】
前記握り部（１）の両端にワイヤーブラシ(２)が取付けられ、且つ一端には球状或いは先端部に曲面を有した逆円錐台状のワイヤーブラシ(２)が取付けられ、他端には前記球状或いは前記逆円錐台状のものよりも大きな形状のワイヤーブラシ(２)が取付けられた請求項１又は２記載の筆形ブラシ。
【請求項４】
前記握り部（１）の一端にワイヤーブラシ(２)が取付けられ、他端に硬質なプラスチック製のブラシ(３)が取付けられ、且つ該ブラシ(３)の毛（31)の先端部が二叉に開かれた請求項１記載の筆形ブラシ。
【請求項５】
前記ワイヤーブラシ(２)が、前記握り部（１）の端部に支持台（４）を形成し且つそこから突出する支持棒（５）の外周に沿って配列した内側ワイヤー（21）と、該内側ワイヤー（21）の外周に沿って配列した中間ワイヤー（22）と、その中間ワイヤー（22）の外周に沿って更に配列した外側ワイヤー（23）と、前記内側ワイヤー（21）で配列して形成された空間部に配列した芯ワイヤー（24）とから成され、配列した外側ワイヤー（23）の外周から結束材（６）で結束して前記ワイヤーブラシ(２)の先端部が曲面状に形成された請求項１、２、３又は４記載の筆形ブラシ。
【請求項６】
前記ワイヤーブラシ(２)のワイヤー（21），（22），（23），（24）の形状が、三角波状である請求項５記載の筆形ブラシ。
【請求項７】
前記結束材（６）が、剥がし可能な粘着材を塗布した紙テープである請求項５記載の筆形ブラシ。
【考案の詳細な説明】
【技術分野】
【０００１】
本考案は瀬戸物，石材，金属等の硬質材で形成された食器類，日用雑貨品や置物，タイル張りの目地部等の汚れ落しなどに使用するための筆形ブラシに関する。
【背景技術】
【０００２】
従来、急須や紅茶ポットなどの瀬戸物に茶渋や水垢がへばり付いた汚れを落とす場合には、タワシやスポンジに洗剤を付けてもきれいに汚れが落ちないため、漂白剤や専用洗剤を溶かした液中にそれらを浸しておき、その後、汚れが浮いて来たらタワシやスポンジなどを用いて汚れを落としていた。又、洗面所，浴室，トイレなどのタイル張りの目地部の汚れを落とす場合には、洗剤を使用してタワシで擦ってもきれいに汚れが落ちないため、一般に漂白剤や専用洗剤を汚れ箇所に塗布し、所定時間経過後、漂白剤や専用洗剤をきれいに流して洗浄を終了しているのが現状である。
【０００３】
しかしながら、急須や紅茶ポットなどを漂白剤や専用洗剤の液中に浸すと、臭いが強いので、付着した液をきれいに流さなくてはならず、洗い流すのに時間が掛かって面倒であった。この時、特に図６（ａ）に示す底部の角部（内側外周）や蓋を載置する箇所（上縁部）の汚れを後からタワシやスポンジで擦っても接触しない箇所が残るため、その汚れを完全に落とすことは難しかった。又、洗面所，浴室，トイレなどのタイル張りの目地部の汚れを落とす際には、漂白剤や専用洗剤を汚れ箇所全部に塗布するのが面倒であると共に所定時間待たなければならず、しかも漂白剤や専用洗剤をきれいに流して洗浄を終了するのに要する時間が長く、大変な作業となるため、こまめに汚れを落とさずに、延び延びになって汚れたままの状態が長くなっているのが現状である。
【０００４】
一方、瀬戸物，石材，ガラスなどの灰皿に付着した汚れは、一般に灰皿の内部に溜まった吸殻を捨てると共に水洗いするのみで、特に図６（ｂ）に示すタバコ受に付着したヤニやそれと共にタバコの火で焼付いた汚れを除去することは難しいため、そのままにしている場合が多く、見た目が悪く且つ衛生的でない等の問題点があった。又、瀬戸物，石材，ガラスなどの置物に付着したタバコのヤニなどの汚れを落とす場合には、細くて壊れ易い箇所があると、強く擦ることが出来ず、溝部や角部に付着した汚れをそのままにしているのが現状である。
【特許文献１】なし
【考案の開示】
【考案が解決しようとする課題】
【０００５】
本考案は瀬戸物，石材，金属等の硬質材で形成された食器類，日用雑貨品や置物，タイル張りの目地部等の局部的な汚れを簡単に且つ余り力を入れず短時間で落すことが可能となる筆形ブラシを提供することを目的とする。
【０００６】
本考案の他の目的は消耗するブラシの長さを常に一定に確保し、溝や角などの局部的な汚れを長期間に渡って落すことが可能となる筆形ブラシを提供するにある。
【課題を解決するための手段】
【０００７】
本考案は上記現状に鑑み成されたものであり、つまり、棒状の握り部の少なくとも一端に、ワイヤーブラシを取付けた筆形ブラシと成す。また前記握り部の両端にワイヤーブラシを取付け、その一端にステンレス製のワイヤーブラシを取付け、他端に真鍮製のワイヤーブラシを取付けた構造としても良い。又、前記握り部の両端にワイヤーブラシを取付け、その一端に球状或いは逆円錐台状のワイヤーブラシを取付け、他端に前記球状或いは前記逆円錐台状のものよりも大きな形状のワイヤーブラシを取付けたものとしても良い。更に前記握り部の一端にワイヤーブラシを取付け、他端に硬質なプラスチック製のブラシを取付けると共に該ブラシ毛の先端部を二叉に開くものとするのが好ましい。
【０００８】
又、前記ワイヤーブラシが、握り部の端部に支持台を形成し且つそこから突出する支持棒の外周に沿って配列した内側ワイヤーと、該内側ワイヤーの外周に沿って配列した中間ワイヤーと、その中間ワイヤーの外周に沿って更に配列した外側ワイヤーと、前記内側ワイヤーで配列して形成された空間部に配列した芯ワイヤーとから成され、配列した外側ワイヤーの外周から結束材で結束してワイヤーブラシの先端部が曲面状に形成される構造とし、各ワイヤーの形状を三角波状とするのが好ましい。
【考案の効果】
【０００９】
請求項１のように棒状の握り部（１）の少なくとも一端に、ワイヤーブラシ(２)を取付けることにより、蓋付きの食器類の底部の内側角部や蓋が載置される上縁部の角部などに付着した水垢や茶渋は、本考案の筆形ブラシの筆部分であるワイヤーブラシ(２)で掻き落されることが可能となる。しかも、その作業は簡単で余り力を入れず且つ短時間で済むものとなる。また本考案品は日用雑貨品や置物の溝部や内側角部に付着したタバコのヤニなどの汚れ、更にタイル張りの目地部の局部的な汚れも簡単に且つ余り力を入れず短時間で掻き落すことが可能なものとなる。特に本考案品は溝や角に付着した局部的な汚れを除去するのに適した重宝なものとなる。又、本考案品を用いる時は、洗剤や薬剤が不要であるため、従来の如きそれらを流すことにより、川や海を汚す恐れがないものとなる。
【００１０】
請求項２のように握り部（１）の両端にワイヤーブラシ(２)を取付け、その一端にステンレス製のワイヤーブラシ(２)を取付けることにより、汚れを掻き落とした後、水洗いをすればワイヤーブラシ(２)が何時までもさびず清潔に保持できるものとなる。また他端に真鍮製のワイヤーブラシ(２)を取付けけることにより、汚れを掻き落とす際の接触力がソフトタッチになるため、材質が硬質なもの以外にも使用可能なものとなる。更にステンレス製と真鍮製のワイヤーブラシ(２)であれば、さびにくいため、本考案品を長期間しまっておいても直ぐに使用できる状態のものとなり、取扱いが極めて簡単なものとなる。
【００１１】
請求項３に示すように握り部（１）の両端にワイヤーブラシ(２)を取付け、その一端に球状或いは逆円錐台状のワイヤーブラシ(２)を取付け、他端に前記のものよりも大きな形状のワイヤーブラシ(２)を取付けることにより、汚れが付着した局部的な溝や角に対しても、本考案のワイヤーブラシ(２)が略全体に接触され、汚れを略完全に且つ効率良く除去し易いものとなる。
【００１２】
請求項４に示すように握り部（１）の一端にワイヤーブラシ(２) を取付けることにより、汚れが容易に掻き落とされるものとなり、また他端に硬質なプラスチック製のブラシ(３)を取付けることにより、汚れを掻き落とす際の接触力がソフトタッチになるため、材質が硬質なもの以外の汚れ落としにも使用可能なものとなる。更にそのブラシ(３)の毛（31)の先端部を二叉に開くものとすることにより、ブラシ(３)の接触面積が多くなるので、ワイヤーブラシ(２)で溝や角から掻き出された汚れをきれいに掃き出すことが出来るものとなる。
【００１３】
請求項５のようにワイヤーブラシ(２)の構造として、握り部（１）の端部に支持台（４）を形成し且つそこから突出する支持棒（５）の外周に沿って配列した内側ワイヤー（21）と、該内側ワイヤー（21）の外周に沿って配列した中間ワイヤー（22）と、その中間ワイヤー（22）の外周に沿って更に配列した外側ワイヤー（23）と、内側ワイヤー（21）で配列して形成された空間部に配列した芯ワイヤー（24）とから成され、配列した外側ワイヤー（23）の外周から結束材（６）で結束してワイヤーブラシ(２)の先端部が曲面状に形成されるものと成すことにより、溝や角などに付着する汚れを落とす際、握り部（１）の長手方向と直角に植毛した平らな従来のワイヤーブラシでは、溝にワイヤーブラシが届かぬ場合も多くあり、例え届いたとしても、角にワイヤーブラシが良好状態で接触しない場合も多くあるのに比べ、本考案品は筆の要領で局部的な汚れを簡単に掻き落とすことが出来ると共に本考案品を製作する際に従来のワイヤブラシの如き、ワイヤーを埋め込んで固定することなく、外側ワイヤー（23）の外周から結束材（６）を巻回するだけで良いため、この作業は極めて簡単なものとなり、安価な商品として提供することが出来るものとなる。
【００１４】
請求項６のようにワイヤーブラシ(２)のワイヤー（21），（22），（23），（24）の形状を三角波状にすることにより、ワイヤーブラシ(２)の先端部が広がり易くなるため、溝や角などにワイヤーブラシ(２)の先端部の接触する面積が多くなり、付着する汚れを落とし易くするものとなる。
【００１５】
請求項７に示すように結束材（６）として、剥がし可能な粘着材が塗布された紙テープを用いることにより、ワイヤーブラシ(２)の先端が消耗されて短くなった場合は、外側ワイヤー（23）の外周から巻回された結束材（６）を剥がすことで、結束材（６）で結束されていた外側ワイヤー（23）が外側に広がり、元のワイヤーブラシ(２)の大きさになるまで結束材（６）を剥がし、且つ手で簡単に余分な結束材（６）を切り取れば、初期と同様の状態で使用することが出来るものとなると共に、芯ワイヤー（24）が結束材（６）の押圧力で挟持できずに抜け落ちるまで、ワイヤーブラシ(２)のブラシの長さを常に一定に確保でき、溝や角などの局部的な汚れを長期間に渡って落すことが可能となり、極めて経済的なものとなる。
【考案を実施するための最良の形態】
【００１６】
図１は本考案の実施形態を示す図であり、これに基づき説明する。(１)は棒状の握り部であり、該握り部（１）の断面形状としては、円形が好ましいが、楕円形や多角形など持ち易い形状であれば良い。また前記握り部（１）の材質としては、木やプラスチックなどを用いるのが好ましい。（２）は握り部（１）の両端に取付けたワイヤーブラシであり、該ワイヤーブラシ(２)の形状としては、図２（ａ），（ｂ）に示す先端部に曲面を有した逆円錐台状のもの、図２（ｂ），（ｃ）に示す球状のものが好ましいが、これに限定されるものではない。また前記ワイヤーブラシ(２)の材質としては、ステンレス製や真鍮製或いは鋼製を用いると良いが、この材質に限定されるものではない。又、前記ワイヤーブラシ(２)は、左右の大きさが異なるもの或いは異なる形状のもの又は材質の異なるものを組合せると良い。一方、図示しないが、前記握り部（１）の片側だけにワイヤーブラシ(２)を取付け、筆のような形にしても良い。
【００１７】
更に前記ワイヤーブラシ(２)には、握り部（１）の端部に形成した後述する支持台（４）の中心から突出した支持棒（５）の外周に沿って配列した内側ワイヤー（21）と、該内側ワイヤー（21）の外周に沿って配列した中間ワイヤー（22）と、その中間ワイヤー（22）の外周に沿って更に配列した外側ワイヤー（23）と、前記内側ワイヤー（21）で配列して形成された空間部に配列した芯ワイヤー（24）とがある（図３参照）。これらのワイヤー（21），（22），（23），（24）は図４（ａ）のような三角波状に折曲して形状されたものを用いるのが好ましい。又、図３に示すように内側ワイヤー（21）は中間ワイヤー（22）よりも長く、中間ワイヤー（22）は外側ワイヤー（23）よりも長く、外側へ行くに従って短くしておくと良い。また前記芯ワイヤー（24）の長さも外側へ行くに従って短くしておくと、後述する結束材（６）で結束した際、前記ワイヤーブラシ(２)の先端部がより曲面状に形成されるのである。
【００１８】
（３）は握り部（１）の他端に取付けた硬質なプラスチック製のブラシであり、該ブラシ(３)の毛（31)の先端部が図４（ｂ）のように二叉に開かれているものを用いるのが好ましい。また毛（31)全体が、ワイヤー（21），（22），（23），（24）と同様に三角波状に折曲して形状されたものを用いても良い。（４）は握り部（１）の端部と一体に形成された支持台であり、該支持台（４）の先端面にはワイヤー（21），（22），（23）の端面が接触されている。（５）は支持台（４）の中心から握り部（１）の内部に挿入して固定し且つ端部が突出した金属製の支持棒であり、該支持棒（５）の突出長さは外径の２倍前後が良い。尚、前記支持棒（５）の材質は金属に限定されるものではなく、ワイヤーブラシ(２)が使用される際に掛かる荷重に耐える材質のものであれば良い。又、この支持棒（５）の先端面には芯ワイヤー（24）の端面が接触されている。（６）は配列した外側ワイヤー（23）の外周から巻回させて結束するための結束材であり、該結束材（６）としては、粘着剤を塗布したビニールテープや紙テープなどを用いると、見かけが良くなると共に結束も簡単になるが、これに限定されるものではなく、例えばワイヤー，たこ糸，布製紐などを用い、これを緊締してワイヤー（21），（22），（23），（24）が結束されるものとしても良い。
【００１９】
次に本考案のワイヤーブラシ(２)の結束の仕方を図３に基づいて説明する。予め握り部（１）の端部を削り出して支持台（４）を形成しておくと共に該支持台（４）の中心に挿入穴を穿設し、その挿入穴に接着剤を付けてから支持棒（５）の一端を挿入し且つ固定しておく。この時、支持棒（５）の他端は支持台（４）から突出されている。そして必要なワイヤー（21），（22），（23），（24）と、ビニールテープ或いは紙テープである結束材（６）を用意しておく。先ず始めに、内側ワイヤー（21）の下端（右側）を支持台（４）に接触させると共に突出した支持棒（５）の外周に沿って順次配列し、支持棒（５）の外周全体に配列し終えたら、中間ワイヤー（22）を内側ワイヤー（21）の外側に沿って順次配列し、支持棒（５）の外周全体に配列し終えたら、外側ワイヤー（23）を中間ワイヤー（22）の外側に沿って更に配列して支持棒（５）の外周全体に配列し終えたら、外側ワイヤー（23）の外周から結束材（６）を巻回し、これらのワイヤー（21），（22），（23）が動かないようにその下部を結束する。尚、この時、各ワイヤー（21），（22），（23）は１列に限定されるものではなく、ワイヤーブラシ(２)の大きさに応じて２列以上の配列としても良い。次に内側ワイヤー（21）で配列して形成された空間部に芯ワイヤー（24）を配列する。その後、外側ワイヤー（23）の外周から結束材（６）を所定位置まで巻回して行く。この時、支持棒（５）の先端を過ぎると、これらのワイヤー（21），（22），（23），（24）全体が内側に押圧され、図３に示す矢印のような力Ｆが働くため、より強固に結束されるのである。そして結束材（６）が巻回し終えた箇所からは、ワイヤー（21），（22），（23）全体が図中の矢印のように外側に広がると共にその先端、つまり、ワイヤーブラシ(２)の先端部が曲面状になるのである。
【００２０】
尚、前記結束材（６）として粘着材が塗布された紙テープを用いると、ワイヤーブラシ(２)の先端が消耗されて短くなった場合には、外側ワイヤー（23）の外周から巻回された結束材（６）を剥がすことで、ワイヤーブラシ(２)のブラシの長さを常に一定に確保できものとなる。この作用を図５に基づいて詳細に説明する。始めは（ａ）の状態であり、本考案品を使用し続けると、ワイヤーブラシ(２)の先端が消耗して（ｂ）のように短くなってしまう。この状態ではワイヤーブラシ(２)の先端部が密集し過ぎでブラシの役目が果たせなくなる。このため、紙テープの結束材（６）を外側ワイヤー（23）の外周から剥がすことで、ワイヤーブラシ(２)の先端が外側に広がって初めの長さになるまで結束材（６）を剥がすと、（ｃ）の状態になり、初期と同様の状態で使用することが出来るものとなる。このように結束材（６）を少しずつ剥がして行けば、常に一定の長さのワイヤーブラシ(２)の先端が確保されるものとなる。その後、芯ワイヤー（24）が結束材（６）で結束できなくなって抜け落ち始めたら、本考案品の寿命であり、処分すれば良い。
【００２１】
図６は本考案の使用方法を示す図であり、この図に基づいて説明する。先ず始め、急須や紅茶ポットなどに付着した茶渋や水垢の汚れを落とす場合について説明する。先ず金物タワシで内部を擦って汚れを落とす。この時、底部の角部や上縁部には金物タワシが接触されないので、汚れは落ちずに残されている。次に本考案を用い、図中の左側のように握り部（１）を傾け、ワイヤーブラシ(２) の先端が底部の角部全体に接触するようにして往復移動をさせながら擦ると共に内側全周を擦って汚れを掻き落とす。その後、上縁部の汚れについてもワイヤーブラシ(２)の先端が上縁部の角部全体に接触するようにして往復移動をさせながら擦ると共に内側全周を擦って汚れを掻き落とす。この時、力を余り入れなくてもきれいに茶渋や水垢の汚れが落とされるのである。
【００２２】
又、瀬戸物，石材，ガラスなどの灰皿に付着した図６（ｂ）に示すタバコ受に付着したヤニやそれと共にタバコの火で焼付いた汚れを除去する場合には、図中に示すように本考案品を用い、ワイヤーブラシ(２) の先端をタバコ受に接触させながら擦ると共にタバコ受を順次擦って汚れを掻き落とことが、簡単に且つ短時間で完了するのである。このため、タバコ受の汚れが気になった時点で、本考案品で誰にでもへばり付いた汚れが除去できるので、こまめに清掃しておけば、いつでもきれいな状態の灰皿となるのである。更に洗面所，浴室，トイレなどのタイル張りの目地部の汚れを落とす際にも、本考案品で汚れた箇所を軽く擦るだけで、誰にでも簡単に汚れが除去できるので、こまめに清掃することも可能となり、いつでもきれいな状態が確保されるものとなる。しかも従来のような漂白剤や専用洗剤を使用しなくても良くなるので、それらが川や海に流れ出る恐れがなくなり、環境にやさしいものとなる。また瀬戸物，石材，ガラスなどの置物に付着したタバコのヤニなどの汚れを落とす場合であっても、本考案のワイヤーブラシ(２)の先端を軽く接触させながら擦るだけで、それらの汚れが掻き落とされるため、細くて壊れ易い箇所の汚れも残さずに除去できるものとなる。
【産業上の利用可能性】
【００２３】
本考案は上記した瀬戸物，石材，金属等の硬質材で形成された食器類，日用雑貨品や置物，タイル張りの目地部等の汚れ落しなどに使用するだけでなく、屋外に配置した石碑や墓石などの刻み文字の汚れの除去や角或いは溝部の汚れなども除去することが可能であり、且つ、アイアンの打撃面の溝の汚れやサビの除去にも適し、広い範囲に於いて使用することが可能である。
【図面の簡単な説明】
【００２４】
【図１】本考案の実施形態を示す一部切欠いた説明図である。
【図２】本実施形態のワイヤーブラシを示す説明図である。
【図３】本実施形態のワイヤーブラシが取付けられた状態を示す断面図である。
【図４】本実施形態のワイヤーブラシのワイヤー形状及びブラシの毛の先端形状を示す説明図である。
【図５】本実施形態のワイヤーが常に所定長さを確保する状態を示す断面図である。
【図６】本考案の使用状態を示す説明図である。
【符号の説明】
【００２５】
１  握り部
２  ワイヤーブラシ
21  内側ワイヤー
22  中間ワイヤー
23  外側ワイヤー
24  芯ワイヤー
３  ブラシ
31  毛
４  支持台
５  支持棒
６  結束材
【図１】
0003125887.tif 000003
【図２】
0003125887.tif 000004
【図３】
0003125887.tif 000005
【図４】
0003125887.tif 000006
【図５】
0003125887.tif 000007
【図６】
0003125887.tif 000008